(57)【要約】      （修正有）【課題】第１のボディーと第２のボディーとを備える入力装置を提供する。【解決手段】第１のボディー１１０は、第１のタッチモジュール１１１を含む。第２のボディー１２０は、第２のタッチモジュール１２１を含む。第１のボディーが第２のボディーに接続され、かつ、第１のボディーと第２のボディーとがノート型パソコン５０に設けられている場合、第１のボディーと第２のボディーとはともにノート型パソコンのタッチパッドとする。第１のボディーが第２のボディーに接続され、かつ、第１のボディーと第２のボディーとがいずれもノート型パソコンから分離した場合、第１のボディーと第２のボディーとはともにマウスとする。第１のボディーが第２のボディーから分離し、かつ、第１のボディーと第２のボディーとがいずれもノート型パソコンから分離した場合、第１のボディーと第２のボディーとはそれぞれ独立する２つのリモートコントローラとする。【選択図】図３
2020113271.tif 000002
【特許請求の範囲】
【請求項１】
プロセッサと、前記プロセッサに電気的に接続されるパソコン無線モジュールとを備えるノート型パソコンに分離可能に設けられる入力装置であって、
第１のタッチモジュールと、第１の無線モジュールと、第１の電気接続部と、第３の電気接続部とを含む第１のボディーと、
前記第１のボディーに分離可能に接続され、第２のタッチモジュールと、第２の無線モジュールと、第２の電気接続部と、第４の電気接続部とを含み、前記第１の無線モジュール及び前記第２の無線モジュールが前記パソコン無線モジュールと互いに信号接続されている第２のボディーと、を備え、
前記第１のボディーの前記第１の電気接続部が前記第２のボディーの前記第２の電気接続部に電気的に接続され、かつ前記第１のボディーの前記第３の電気接続部と前記第２のボディーの前記第４の電気接続部とが前記ノート型パソコンに電気的に接続されている場合、前記ノート型パソコンの前記プロセッサは、前記第１のボディーと前記第２のボディーとをともに前記ノート型パソコンのタッチパッドとして判断し、前記第１のタッチモジュールと前記第２のタッチモジュールとがともに第１の使用インタフェースとして表示するようにトリガーし、
前記第１のボディーの前記第１の電気接続部が前記第２のボディーの前記第２の電気接続部に電気的に接続され、かつ前記第１のボディーと前記第２のボディーとがいずれも前記ノート型パソコンから分離した場合、前記第３の電気接続部と前記第４の電気接続部とが前記ノート型パソコンに電気的に接続されておらず、前記ノート型パソコンの前記プロセッサは、前記第１のボディーと前記第２のボディーとをともにマウスとして判断し、前記第１のタッチモジュールと前記第２のタッチモジュールとがともに第２の使用インタフェースとして表示するようにトリガーし、
前記第１のボディーが前記第２のボディーから分離し、かつ前記第１のボディーと前記第２のボディーとがいずれも前記ノート型パソコンから分離した場合、前記第１の電気接続部が前記第２の電気接続部に電気的に接続されておらず、前記第３の電気接続部と前記第４の電気接続部とが前記ノート型パソコンに電気的に接続されておらず、前記ノート型パソコンの前記プロセッサは、前記第１のボディーと前記第２のボディーとをそれぞれ独立する２つのリモートコントローラとして判断し、前記第１のタッチモジュールが第３の使用インタフェースとして表示し、前記第２のタッチモジュールが第４の使用インタフェースとして表示するようにトリガーする、入力装置。
【請求項２】
前記第１のボディーは、その第１の側に設けられる第１の接続構造をさらに含み、前記第２のボディーは、その第２の側に設けられる第２の接続構造をさらに含み、前記第１のボディーの前記第１の接続構造は、前記第２のボディーの前記第２の接続構造に取り外し可能に固定されている、請求項１に記載の入力装置。
【請求項３】
前記第１のボディーは、前記第１の側に隣接する第３の側に設けられる第３の接続構造をさらに含み、前記第２のボディーは、前記第２の側に隣接する第４の側に設けられる第４の接続構造をさらに含み、前記第１のボディーと前記第２のボディーは、前記第３の接続構造と前記第４の接続構造により前記ノート型パソコンに取り外し可能に固定されている、請求項２に記載の入力装置。
【請求項４】
前記第１の電気接続部、前記第２の電気接続部、前記第３の電気接続部及び前記第４の電気接続部は、それぞれ、前記第１の接続構造、前記第２の接続構造、前記第３の接続構造及び前記第４の接続構造に位置する、請求項３に記載の入力装置。
【請求項５】
前記第１の接続構造と前記第２の接続構造とは、それぞれ、対応する２つの係合フック又は互いに吸引する２つの磁性部材である、請求項２に記載の入力装置。
【請求項６】
前記第３の接続構造と前記第４の接続構造とは、それぞれ、２つの係合フック又は２つの磁性部材である、請求項３に記載の入力装置。
【請求項７】
前記第１の接続構造と前記第３の接続構造とは、前記第１のボディーに伸縮可能に配置され、前記第２の接続構造と前記第４の接続構造とは、前記第２のボディーに伸縮可能に配置されている、請求項３に記載の入力装置。
【請求項８】
前記第１のタッチモジュールは第１のタッチスクリーンであり、前記第２のタッチモジュールは第２のタッチスクリーンである、請求項１に記載の入力装置。
【請求項９】
前記第１のボディーは、前記第１のタッチモジュールに電気的に接続される第１の電源をさらに含み、前記第２のボディーは、前記第２のタッチモジュールに電気的に接続される第２の電源をさらに含む、請求項１に記載の入力装置。
【請求項１０】
ノッチを有する下ボディーと、
前記下ボディーに枢着される上ボディーと、
前記ノッチに分離可能に配置される請求項１〜９のいずれか一項に記載の入力装置と、
を備えるノート型パソコン。
【発明の詳細な説明】
【技術分野】
【０００１】
本発明は、入力装置及びノート型パソコンに関し、特にノート型パソコンから分離可能な入力装置及びノート型パソコンに関する。
【背景技術】
【０００２】
科学技術の発展につれて、携帯型電子装置、例えばノート型パソコン又はタブレット型パソコンは、日常生活に広く応用されている。しかし、ユーザーはノート型パソコンで製図、電子ゲーム又は他の、タッチパッドだけで容易に操作できないインタフェースを利用しようとするとき、ユーザーがノート型パソコンで前記インタフェースを操作できるように、入力装置、例えばマウス又はジョイスティック等を増設する必要がある。
【０００３】
しかし、ユーザーにとって、マウス又はジョイスティックを余計に持ち運ぶのは負担になるため、非常に不便である。そのため、如何に携帯型電子装置の操作性及び娯楽性を向上させるとともに、持ち運びの利便性を配慮するかは、本分野の発展の道における重要な課題となった。
【発明の概要】
【０００４】
本発明は、ノート型パソコンに分離可能に設けられ、異なる使用モードを有し、好適な利便性を与えることができる入力装置を提供する。
【０００５】
本発明は、前記入力装置を備えるノート型パソコンを提供する。
【０００６】
本発明の入力装置は、プロセッサと、当該プロセッサに電気的に接続されるパソコン無線モジュールとを備えるノート型パソコンに分離可能に設けられ、入力装置は第１のボディーと第２のボディーとを備える。第１のボディーは、第１のタッチモジュールと、第１の無線モジュールと、第１の電気接続部と、第３の電気接続部とを含む。第２のボディーは、第１のボディーに分離可能に接続され、第２のボディーは、第２のタッチモジュールと、第２の無線モジュールと、第２の電気接続部と、第４の電気接続部とを含み、第１の無線モジュール及び第２の無線モジュールはパソコン無線モジュールと互いに信号接続されている。第１のボディーの第１の電気接続部が第２のボディーの第２の電気接続部に電気的に接続され、かつ第１のボディーの第３の電気接続部と第２のボディーの第４の電気接続部とがノート型パソコンに電気的に接続されている場合、ノート型パソコンのプロセッサは、第１のボディーと第２のボディーとをともにノート型パソコンのタッチパッドとして判断し、第１のタッチモジュールと第２のタッチモジュールとがともに第１の使用インタフェースとして表示するようにトリガーする。第１のボディーの第１の電気接続部が第２のボディーの第２の電気接続部に電気的に接続され、かつ第１のボディーと第２のボディーとがいずれもノート型パソコンから分離した場合、第３の電気接続部と第４の電気接続部とがノート型パソコンに電気的に接続されておらず、ノート型パソコンのプロセッサは、第１のボディーと第２のボディーとをともにマウスとして判断し、第１のタッチモジュールと第２のタッチモジュールとがともに第２の使用インタフェースとして表示するようにトリガーする。第１のボディーが第２のボディーから分離し、かつ第１のボディーと第２のボディーとがいずれもノート型パソコンから分離した場合、第１の電気接続部が第２の電気接続部に電気的に接続されておらず、第３の電気接続部と第４の電気接続部とがノート型パソコンに電気的に接続されておらず、ノート型パソコンのプロセッサは、第１のボディーと第２のボディーとをそれぞれ独立する２つのリモートコントローラとして判断し、第１のタッチモジュールが第３の使用インタフェースとして表示し、第２のタッチモジュールが第４の使用インタフェースとして表示するようにトリガーする。
【０００７】
本発明の一実施例において、前記第１のボディーは、その第１の側に設けられる第１の接続構造をさらに含み、第２のボディーは、その第２の側に設けられる第２の接続構造をさらに含み、第１のボディーの第１の接続構造は、第２のボディーの第２の接続構造に取り外し可能に固定されている。
【０００８】
本発明の一実施例において、前記第１のボディーは、第１の側に隣接する第３の側に設けられる第３の接続構造をさらに含み、第２のボディーは、第２の側に隣接する第４の側に設けられる第４の接続構造をさらに含み、第１のボディーと第２のボディーは、第３の接続構造と第４の接続構造によりノート型パソコンに取り外し可能に固定されている。
【０００９】
本発明の一実施例において、前記第１の電気接続部、第２の電気接続部、第３の電気接続部及び第４の電気接続部は、それぞれ、第１の接続構造、第２の接続構造、第３の接続構造及び第４の接続構造に位置する。
【００１０】
本発明の一実施例において、前記第１の接続構造と第２の接続構造とは、それぞれ、対応する２つの係合フック又は互いに吸引する２つの磁性部材である。
【００１１】
本発明の一実施例において、前記第３の接続構造と第４の接続構造とは、それぞれ、２つの係合フック又は２つの磁性部材である。
【００１２】
本発明の一実施例において、前記第１の接続構造と第３の接続構造とは、第１のボディーに伸縮可能に配置され、第２の接続構造と第４の接続構造とは、第２のボディーに伸縮可能に配置されている。
【００１３】
本発明の一実施例において、前記第１のタッチモジュールは第１のタッチスクリーンであり、第２のタッチモジュールは第２のタッチスクリーンである。
【００１４】
本発明の一実施例において、前記第１のボディーは、第１のタッチモジュールに電気的に接続される第１の電源をさらに含み、第２のボディーは、第２のタッチモジュールに電気的に接続される第２の電源をさらに含む。
【００１５】
本発明は、下ボディーと、上ボディーと、いずれか１つの前記入力装置とを備えるノート型パソコンを提供する。下ボディーはノッチを有する。上ボディーは、下ボディーに枢着されている。入力装置は、ノッチに分離可能に配置されている。
【００１６】
よって、本発明の入力装置は、ノート型パソコンのタッチパッドとしてノート型パソコンに設けられることに適する。入力装置がノート型パソコンから分離した場合、入力装置をマウスとすることができる。入力装置がノート型パソコンから分離し、かつ入力装置の第１のボディーと第２のボディーとが互いに分離した場合、第１のボディーと第２のボディーとをそれぞれ独立するリモートコントローラとする。言い換えれば、本発明の入力装置は、異なる接続状態において異なる使用モードを有する。このように、本発明の入力装置によって、ユーザーによるノート型パソコンの操作時の利便性と娯楽性を大幅に向上させることができ、また、ユーザは、余計に設備を持ち運ぶ必要がないため、ユーザーの負担を大幅に軽減することができる。
【００１７】
本発明の前記特徴と利点をより明瞭にするために、以下、実施例を挙げて、添付図面を参照しながら詳しく説明する。
【図面の簡単な説明】
【００１８】
【図１】本発明の実施例による入力装置を備えるノート型パソコンの斜視模式図である。
【図２】図１の入力装置がノート型パソコンから分離した斜視模式図である。
【図３】図２の第１のボディーと第２のボディーとが互いに分離した斜視模式図である。
【図４】第１のボディーと第２のボディーの正面模式図である。
【図５】第２のボディーの斜視模式図である。
【発明を実施するための形態】
【００１９】
図１は、本発明の実施例による入力装置を備えるノート型パソコンの斜視模式図である。図２は、図１の入力装置がノート型パソコンから分離した斜視模式図である。図１及び図２を参照し、入力装置１００は、ノート型パソコン５０に分離可能に設けられ、入力装置１００は、第１のボディー１１０と第２のボディー１２０とを備える。第１のボディー１１０は第１のタッチモジュール１１１を含む。第２のボディー１２０は第２のタッチモジュール１２１を含む。第１のボディー１１０は、第２のボディー１２０に分離可能に接続され、第１のボディー１１０と第２のボディー１２０とはノート型パソコン５０に設けられている。ノート型パソコン５０は、プロセッサ５５と、パソコン無線モジュール５４と、下ボディー５１と、上ボディー５２とを備える。パソコン無線モジュール５４はプロセッサ５５に電気的に接続され、プロセッサ５５とパソコン無線モジュール５４とは下ボディー５１内に位置し、下ボディー５１はノッチ５１ａを有する。上ボディー５２は、下ボディー５１に枢着されている。入力装置１００は、ノッチ５１ａに分離可能に配置されている。本実施例において、入力装置１００の表面Ｓは弧形であるが、それに限定されず、他の実施例において、入力装置１００の表面Ｓは平面であってもよい。
【００２０】
図３は、図２の第１のボディーと第２のボディーとが互いに分離した斜視模式図である。図４は、第１のボディーと第２のボディーの正面模式図である。本実施例において、第１のボディー１１０は、第１の電気接続部１１２ａと、第１の無線モジュール１１８と、第３の電気接続部１１４ａとをさらに含む。第２のボディー１２０は、第２の電気接続部１２２ａと、第２の無線モジュール１２８と、第４の電気接続部１２４ａとをさらに含む。第１の無線モジュール１１８及び第２の無線モジュール１２８はパソコン無線モジュール５４と互いに信号接続されている。
【００２１】
図１及び図４に示すように、本実施例において、第１のボディー１１０の第１の電気接続部１１２ａが第２のボディー１２０の第２の電気接続部１２２ａに電気的に接続され、かつ第１のボディー１１０の第３の電気接続部１１４ａと第２のボディー１２０の第４の電気接続部１２４ａとがノート型パソコン５０に電気的に接続されている場合、ノート型パソコン５０のプロセッサ５５は、第１のボディー１１０と第２のボディー１２０とをともにノート型パソコン５０のタッチパッドとして判断し、第１のタッチモジュール１１１と第２のタッチモジュール１２１とがともに第１の使用インタフェースとして表示するようにトリガーする。
【００２２】
図２及び図４に示すように、本実施例において、第１のボディー１１０の第１の電気接続部１１２ａが第２のボディー１２０の第２の電気接続部１２２ａに電気的に接続され、かつ第１のボディー１１０と第２のボディー１２０とがいずれもノート型パソコン５０から分離した場合、第３の電気接続部１１４ａと第４の電気接続部１２４ａとがノート型パソコン５０に電気的に接続されておらず、ノート型パソコン５０のプロセッサ５５は、第１のボディー１１０と第２のボディー１２０とをともにマウスとして判断し、第１のタッチモジュール１１１と第２のタッチモジュール１２１とがともに第２の使用インタフェースとして表示するようにトリガーする。このように、ユーザーは、マウスでノート型パソコン５０を操作しようとする時、余計にマウス等の部品を持ち運ぶ必要がなく、入力装置１００をノート型パソコン５０から分離させるだけで、入力装置１００をマウスとして使用することができる。
【００２３】
図３及び図４に示すように、本実施例において、第１のボディー１１０が第２のボディー１２０から分離し、かつ第１のボディー１１０と第２のボディー１２０とがいずれもノート型パソコン５０から分離した場合、第１の電気接続部１１２ａが第２の電気接続部１２２ａに電気的に接続されておらず、第３の電気接続部１１４ａと第４の電気接続部１２４ａとがノート型パソコン５０に電気的に接続されておらず、ノート型パソコン５０のプロセッサ５５は、第１のボディー１１０と第２のボディー１２０とをそれぞれ独立する２つのリモートコントローラとして判断し、第１のタッチモジュール１１１が第３の使用インタフェースとして表示し、第２のタッチモジュール１２１が第４の使用インタフェースとして表示するようにトリガーする。このように、ユーザーは、余計にジョイスティック、コネクタ等の部品を持ち運ぶ必要がなく、電子ゲームをしようとする時、入力装置１００をノート型パソコン５０から分離させ、さらに第１のボディー１１０を第２のボディー１２０から分離させるだけで、２つのリモートコントローラ（第１のボディー１１０、第２のボディー１２０）を用いてノート型パソコン５０で電子ゲームをすることができる。
【００２４】
以下、入力装置１００をさらに詳細に説明する。図４を参照し、本実施例において、第１のボディー１１０は、第１の接続構造１１２と第３の接続構造１１４とをさらに含み、第１の接続構造１１２は第１のボディー１１０の第１の側１１３に設けられ、第３の接続構造１１４は第１の側１１３に隣接する第３の側１１５に設けられている。第２のボディー１２０は、第２の接続構造１２２と第４の接続構造１２４とをさらに含み、第２の接続構造１２２は第２のボディー１２０の第２の側１２３に設けられ、第４の接続構造１２４は第２の側１２３に隣接する第４の側１２５に設けられている。
【００２５】
本実施例において、第１のボディー１１０の第１の接続構造１１２は、第２のボディー１２０の第２の接続構造１２２に取り外し可能に固定されている。本実施例において、第１の接続構造１１２と第２の接続構造１２２とは、それぞれ、互いに係合固定できる対応する２つの係合フックである。第１のボディー１１０の第３の接続構造１１４と第２のボディー１２０の第４の接続構造１２４とは、ノート型パソコン５０に取り外し可能に固定されている。本実施例において、第３の接続構造１１４と第４の接続構造１２４とは、それぞれ、ノート型パソコン５０に固定できる２つの係合フックである。勿論、本発明は、それに限定されず、他の実施例において、第１の接続構造１１２と第２の接続構造１２２とは、それぞれ、互いに吸引する２つの磁性部材であってもよく、第３の接続構造１１４と第４の接続構造１２４とは、それぞれ、２つの磁性部材であってもよい。
【００２６】
本実施例において、第１のボディー１１０と第２のボディー１２０は、第３の接続構造１１４と第４の接続構造１２４によりノート型パソコン５０に取り外し可能に固定されている。実際に、ノート型パソコン５０は、それぞれ第３の接続構造１１４及び第４の接続構造１２４に対応する２つの固定構造５３（図２では、一方の固定構造５３は遮蔽される）と、それぞれ２つの固定構造５３に位置し、第３の電気接続部１１４ａ及び第４の電気接続部１２４ａに対応する２つの電気接続部（図示せず）とを有する。
【００２７】
このように、第１のボディー１１０と第２のボディー１２０は、第３の接続構造１１４と第４の接続構造１２４によりノート型パソコン５０に固定され、第３の接続構造１１４に位置する第３の電気接続部１１４ａと第４の接続構造１２４に位置する第４の電気接続部１２４ａとによりノート型パソコン５０に電気的に接続されている。また、入力装置１００は、第３の電気接続部１１４ａ及び第４の電気接続部１２４ａによりノート型パソコン５０に電気的に接続されることによって、第１のボディー１１０と第２のボディー１２０とを充電することができる。
【００２８】
本実施例において、ノート型パソコン５０の２つの固定構造５３は２つの係合フックであるが、他の実施例において、２つの固定構造５３は２つの磁性部材であってもよく、２つの固定構造５３がそれぞれ第３の接続構造１１４及び第４の接続構造１２４に固定され、かつ２つの固定構造５３がそれぞれ第３の接続構造１１４及び第４の接続構造１２４に接続できるものであれば、本発明の保護範囲内にある。
【００２９】
なお、本実施例において、第１のタッチモジュール１１１は第１のタッチスクリーンであり、第２のタッチモジュール１２１は第２のタッチスクリーンであり、第１のタッチスクリーンと第２のタッチスクリーンは、文字メッセージ及び映像の表示に適する。しかし、文字メッセージ及び映像の表示方式はそれに限定されず、他の実施例において、第１のタッチモジュール１１１と第２のタッチモジュール１２１は、文字メッセージ及び映像を表示するために、それぞれ光源モジュール、例えば発光ダイオード（ＬＥＤ）等を含んでもよい。
【００３０】
図１に示すように、第１のボディー１１０と第２のボディー１２０とはともにノート型パソコン５０のタッチパッドとする場合、第１のタッチスクリーンと第２のタッチスクリーンとがともに第１の使用インタフェースとして表示し、すなわち、第１のタッチスクリーンと第２のタッチスクリーンの範囲内で併せて１つのタッチパッドインタフェースとして表現するようにトリガーする。
【００３１】
図２に示すように、第１のボディー１１０と第２のボディー１２０とはともにマウスとする場合、第１のタッチスクリーンと第２のタッチスクリーンとがともに第２の使用インタフェースとして表示するようにトリガーする。ユーザーがマウスを操作しやすいように、第１のタッチスクリーンは英語アルファベット（例えば、Ｌ）を表示し、マウスの左ボタンを表す一方、第２のタッチスクリーンは英語アルファベット（例えば、Ｒ）を表示し、マウスの右ボタンを表すことができる。勿論、表示方式は前記したものに限らず、ユーザーがマウスの左右ボタンを明確に判断できるものであれば、本発明の保護範囲内にある。
【００３２】
図３に示すように、第１のボディー１１０と第２のボディー１２０とはそれぞれ独立する２つのリモートコントローラとする場合、第１のタッチスクリーンが第３の使用インタフェースとして表示し、第２のタッチスクリーンが第４の使用インタフェースとして表示するようにトリガーする。第１のタッチスクリーン及び第２のタッチスクリーンはパターン、文字又はこれらの組合せ等を表示することができ、ユーザーが２つのリモートコントローラを操作しやすいように、各種の異なるパターン、文字又はこれらの組合せでそれぞれ複数の異なるファンクションキーＣを表すことができる。本実施例において、ファンクションキーＣの配置を図３に示す。しかし、それに限らず、他の実施例において、ファンクションキーＣは、使用のニーズに応じて配置されてもよい。
【００３３】
図４に示すように、本実施例において、第１のボディー１１０は、互いに電気的に接続されている第１のコントローラ１１６と第１のバイブレータ１１７とをさらに含む。第２のボディー１２０は、互いに電気的に接続されている第２のコントローラ１２６と第２のバイブレータ１２７とをさらに含む。例を挙げると、ユーザーがゲーム中で攻撃され又はスコアを取った時、第１のバイブレータ１１７と第２のバイブレータ１２７で第１のボディー１１０又は第２のボディー１２０を振動させることで、ユーザーは、より素晴らしいゲーム体験を楽しむことができる。
【００３４】
他方、第１のタッチモジュール１１１が少なくとも１つの物体（例えば、ユーザーの指）にタッチされると、第１のコントローラ１１６は、第１のタッチモジュール１１１からのタッチ信号を受信し、タッチ信号により第１のバイブレータ１１７を、振動を生じさせて指にフィードバックするようにトリガーする。第２のタッチモジュール１２１が指にタッチされると、第２のコントローラ１２６は、第２のタッチモジュール１２１からのタッチ信号を受信し、タッチ信号により第２のバイブレータ１２７を、振動を生じさせて指にフィードバックするようにトリガーする。それにより、ユーザーは、より素晴らしいゲーム体験を楽しむことができる。
【００３５】
本実施例において、第１のボディー１１０は、第１のコントローラ１１６に電気的に接続される第１の無線モジュール１１８をさらに含み、第２のボディー１２０は、第２のコントローラ１２６に電気的に接続される第２の無線モジュール１２８をさらに含む。つまり、第１のボディー１１０及び第２のボディー１２０とノート型パソコン５０とは、第１の無線モジュール１１８及び第２の無線モジュール１２８とパソコン無線モジュール５４とが互いに信号を伝達することにより、入力装置１００の異なる機能（タッチパッド、マウス、リモートコントローラ）モードの変換を順調に達成することもできる。
【００３６】
言い換えれば、一実施例において、第１のボディー１１０と第２のボディー１２０は、第１の電気接続部１１２ａと第２の電気接続部１２２ａを省略して、第１の無線モジュール１１８と第２の無線モジュール１２８で信号を伝達してもよい。
【００３７】
本実施例において、第１のボディー１１０は、第１のコントローラ１１６に電気的に接続される第１の電源１１９をさらに含み、第１の電源１１９は第１のタッチモジュール１１１に電気的に接続されており、第２のボディー１２０は、第２のコントローラ１２６に電気的に接続される第２の電源１２９をさらに含み、第２の電源１２９は第２のタッチモジュール１２１に電気的に接続されている。ここで、第１の電源１１９及び第２の電源１２９は、例えば第１のボディー１１０及び第２のボディー１２０に給電する電池である。
【００３８】
また、本実施例において、第１の接続構造１１２と第３の接続構造１１４とは第１のボディー１１０に伸縮可能に配置され、第２の接続構造１２２と第４の接続構造１２４とは第２のボディー１２０に伸縮可能に配置されている。図５は第２のボディーの斜視模式図であり、ここで、第２のボディー１２０の第２の接続構造１２２と第４の接続構造１２４を例に説明する。図５を参照し、詳細には、第２のボディー１２０の第２の側１２３は凹溝ｕを有し、第２の接続構造１２２はボタン１２２ｂを含み、ユーザーは、ボタン１２２ｂを押し、第２の接続構造１２２と第２のボディー１２０との間のプッシュ・プッシュ（ｐｕｓｈ−ｐｕｓｈ）構造により、第２の接続構造１２２を第２のボディー１２０の凹溝ｕ内に伸縮可能に配置することができる。
【００３９】
同様に、第４の接続構造１２４もプッシュ・プッシュ（ｐｕｓｈ−ｐｕｓｈ）構造により、第２のボディー１２０に伸縮可能に配置されている。第１の接続構造１１２と第３の接続構造１１４も前記したものに類似した方法で第１のボディー１１０に伸縮可能に配置されているため、ここで重複して説明しない。ボタン１２２ｂは、前記機能に限らず、別の実施例において、入力装置１００の他のファンクションキーとしてもよい。
【００４０】
本実施例において、第１の接続構造１１２、第３の接続構造１１４、第２の接続構造１２２及び第４の接続構造１２４には、いずれも光源Ｌが設けられており、図５に示すように、第２の接続構造１２２の光源Ｌは、同一方向を指す矢印記号として表される。ここで、光源Ｌは、第２の接続構造１２２と第１の接続構造１１２を接続しようとする時、ユーザーに第２の接続構造１２２と第１の接続構造１１２の両方の間の接続方向を提示するのに好適であるという作用がある。第４の接続構造１２４における光源Ｌは、ユーザーに第４の接続構造１２４とノート型パソコン５０の固定構造５３の両方の間の接続方向を提示するのに好適である。勿論、他の実施例において、光源Ｌを省略して、印刷又は彫刻等の方式で接続方向を示してもよい。
【００４１】
よって、本発明の入力装置は、ノート型パソコンのタッチパッドとしてノート型パソコンに設けられることに適する。入力装置がノート型パソコンから分離した場合、入力装置をマウスとすることができる。入力装置がノート型パソコンから分離し、かつ入力装置の第１のボディーと第２のボディーとが互いに分離した場合、第１のボディーと第２のボディーとをそれぞれ独立するリモートコントローラとする。言い換えれば、本発明の入力装置は、異なる接続状態において異なる機能性を有する。このように、本発明の入力装置によって、ユーザーによるノート型パソコンの操作時の利便性と娯楽性を大幅に向上させることができ、また、ユーザーは、余計に設備を持ち運ぶ必要がないため、ユーザーの負担を大幅に軽減することができる。
【００４２】
本発明は、実施例により以上のように開示されたが、これらの実施例は、本発明を限定するためのものではなく、当業者であれば、本発明の趣旨及び範囲から逸脱しない範囲内に、若干変更や修飾を加えることができる。そのため、本発明の保護範囲は、添付した特許請求の範囲により限定されるものに準じるべきである。
【符号の説明】
【００４３】
５０：  ノート型パソコン
５１：  下ボディー
５１ａ：  ノッチ
５２：  上ボディー
５３：  固定構造
５４：  パソコン無線モジュール
５５：  プロセッサ
１００：  入力装置
１１０：  第１のボディー
１１１：  第１のタッチモジュール
１１２：  第１の接続構造
１１２ａ：  第１の電気接続部
１１３：  第１の側
１１４：  第３の接続構造
１１４ａ：  第３の電気接続部
１１５：  第３の側
１１６：  第１のコントローラ
１１７：  第１のバイブレータ
１１８：  第１の無線モジュール
１１９：  第１の電源
１２０：  第２のボディー
１２１：  第２のタッチモジュール
１２２：  第２の接続構造
１２２ａ：  第２の電気接続部
１２２ｂ：  ボタン
１２３：  第２の側
１２４：  第４の接続構造
１２４ａ：  第４の電気接続部
１２５：  第４の側
１２６：  第２のコントローラ
１２７：  第２のバイブレータ
１２８：  第２の無線モジュール
１２９：  第２の電源
Ｃ：  ファンクションキー
ｕ：  凹溝
Ｌ：  光源
Ｓ：  表面
【図１】
2020113271.tif 000003
【図２】
2020113271.tif 000004
【図３】
2020113271.tif 000005
【図４】
2020113271.tif 000006
【図５】
2020113271.tif 000007